(57)【要約】【課題】低電圧駆動で高ダイナミックレンジの検出を高速で実現する近接検出装置および方法の提供。【解決手段】検出領域２における２つの次元のうち一方の次元に対応する複数の送信電極３と、他方の次元に対応する受信電極４と、送信電極３の少なくとも二つ以上の電極に周期的な交流電圧を同時に印加するマルチライン駆動手段５と、電流測定手段６と、演算手段と、制御手段９ａとにより構成され、演算手段は、電流測定手段６で測定した電流値あるいは蓄積された電荷量を線形演算し送信電極３と受信電極４の各交点の静電容量に対応した値に変換する線形演算手段７と、線形演算手段７の出力から検出領域２への物体の接近判定或いは接近位置を求める近接演算手段８とにより構成され、線形演算手段７は、検算の途中結果を記憶する記憶手段１５を備える。【選択図】図１
2011047774.tif 000002
【特許請求の範囲】
【請求項１】
物体の接近判定或いは接近位置を求める近接検出装置であって、
支持手段上の検出領域における２つの次元のうち一方の次元に対応する複数の送信電極と、他方の１つの次元に対応する受信電極と、
前記送信電極の少なくとも二つ以上の電極に周期的な交流電圧を同時に印加するマルチライン駆動手段と、
前記受信電極からの電流あるいは蓄積された電荷量を前記送信電極への駆動に同期して測定する電流測定手段と、
前記電流測定手段で測定した電流値あるいは蓄積された電荷量を前記送信電極と前記受信電極の各交点の静電容量に対応した値に変換し前記検出領域への物体の接近判定或いは接近位置を求める演算手段と、
前記マルチライン駆動手段と前記電流測定手段と前記演算手段のステータス及びシーケンスを管理する制御手段とにより構成され、
前記演算手段は、
前記電流測定手段で測定した電流値あるいは蓄積された電荷量を線形演算し前記送信電極と前記受信電極の各交点の静電容量に対応した値に変換する線形演算手段と、
前記線形演算手段の出力から前記検出領域への物体の接近判定或いは接近位置を求める近接演算手段とにより構成され、
前記線形演算手段は、演算の途中結果を記憶し複数回読み出される記憶手段を有する近接検出装置。
【請求項２】
前記線形演算手段が、高速アダマール変換もしくは高速アダマール変換と同様の変換を行う請求項１に記載の近接検出装置。
【請求項３】
前記マルチライン駆動手段が駆動するパターンはアダマール行列の逆行列またはアダマール行列の部分行列の逆行列である請求項１ないし２に記載の近接検出装置。
【請求項４】
前記マルチライン駆動手段が駆動するパターンを決定する送信電圧行列が、シルベスターの生成法によるアダマール行列もしくはシルベスターの生成法によるアダマール行列の行または列を入換えた行列もしくはそれらの部分行列の特定の行をマイナス１倍したものであり、前記線形演算手段における高速アダマール変換もしくは高速アダマール変換と同様の変換においてマイナス１倍した行に対応する電流測定手段の測定値をマイナス１倍したことと同等の演算を行う請求項２ないし３に記載の近接検出装置。
【請求項５】
前記マルチライン駆動手段が駆動するパターンを決定する送信電圧行列が、シルベスターの生成法によるアダマール行列もしくはシルベスターの生成法によるアダマール行列の行または列を入換えた行列もしくはそれらの部分行列の特定の列をマイナス１倍したものであり、前記線形演算手段における高速アダマール変換もしくは高速アダマール変換と同様の変換においてマイナス１倍した列に対応する変換値をマイナス１倍したことと同等の演算を行う請求項２ないし３に記載の近接検出装置。
【請求項６】
請求項１から５のいずれか１つに記載の近接検出装置からなる入力装置を備えている情報機器。
【請求項７】
前記情報機器が携帯電話からなる請求項６に記載の情報機器。
【請求項８】
前記情報機器がマルチメディアプレイヤーからなる請求項６に記載の情報機器。
【請求項９】
前記情報機器がナビゲーションシステムからなる請求項６に記載の情報機器。
【請求項１０】
前記情報機器がコンピュータからなる請求項６に記載の情報機器。
【請求項１１】
物体の接近判定或いは接近位置を求める近接検出方法であって、
物体の接近を検出する検出領域における２つの次元のうち一方の次元に対応する複数の送信電極に同時に周期的な交流電圧を印加するマルチライン駆動工程と、
他方の次元に対応する受信電極からの電流あるいは蓄積された電荷量を前記送信電極への駆動に同期して測定する電流駆動測定工程と、
高速アダマール変換により線形演算し前記送信電極と前記受信電極の各交点の静電容量に対応した値に変換し、前記検出領域への物体の検出判定或いは近接位置を求める演算工程と、
により成り立つ近接検出方法。
【請求項１２】
前記演算工程において、前記高速アダマール変換は、少なくとも１つの演算テーブルの特定の値をマイナス１倍する演算を行う請求項１１に記載の近接検出方法。
【請求項１３】
前記演算工程において、前記一方の次元である行に対応する前記電流駆動測定工程の少なくとも１つの測定値をマイナス１倍したことと同様の演算を行う請求項１１または１２に記載の近接検出方法。
【請求項１４】
前記演算工程において、前記他方の次元である列に対応する少なくとも１つの変換値をマイナス１倍したことと同様の演算を行う請求項１１または１２に記載の近接検出方法。
【請求項１５】
前記演算工程において、マルチラインで駆動するパターンの逆行列がアダマール行列に等価な行列の部分行列である請求項１１から１４のいずれか１項に記載の近接検出方法。
【発明の詳細な説明】
【技術分野】
【０００１】
本発明は、２次元座標に対応して配置された複数の電極の各交点の静電容量の変化により、人の指などの物体の接近や位置を検出する近接検出装置に関する。
【背景技術】
【０００２】
近傍に配置される２つの電極間に人の指などの物体が接近すると、電極間の静電容量が変化することが知られている。この原理を検出領域の２次元座標に対応して配置された複数の電極の各交点の静電容量の検出に応用した静電タッチセンサなどの近接検出装置が開示され、一部が実用化されている（例えば、特許文献１参照。）。
【０００３】
このような従来の近接検出装置の一例について、図８を基に説明する。
【０００４】
図８の例では、支持手段１の検出領域２に縦方向の座標に対応する送信電極３と横方向の座標に対応する受信電極４が互いに直交して配置されている。送信電極３には、線順次駆動手段３５から選択的に１つの電極ごと、線順次に周期的な交流電圧が印加される。この交流電圧は、送信電極３と受信電極４との交点の静電結合により、受信電極４に伝達される。電流測定手段６では、仮想接地された受信電極４に流れる電流から対応する各交点の静電結合に応じた値を検出して、検出した値を近接演算手段８に出力する。ここで、微弱な交流電流を累積して求めるために、送信電極３に順次選択的に印加される周期的な交流電圧に同期して累積コンデンサをスイッチ切り換えしたり、復調波形を畳み込むことにより累積していた。
【０００５】
しかし、図８に示す例の場合には、線順次駆動のため、検出の効率に課題があった。この課題を解決するために、図２に示すようなマルチライン駆動の近接検出装置が開示されている。図２の例では、支持手段１の検出領域２に縦方向の座標に対応する送信電極３と横方向の座標に対応する受信電極４が互いに直交して配置されている。送信電極３には、マルチライン駆動手段５から同時に複数の送信電極３に異なるパターンの波形が印加される。この波形は、送信電極３と受信電極４との交点の静電結合により、受信電極４に伝達される。電流測定手段６では、仮想接地された受信電極４に流れ込む電流を測定する。
【０００６】
ここで、演算手段１０ｂは相関演算手段１７と近接演算手段８とにより構成され、相関演算手段１７で送信電極３に印加したパターンと電流測定手段６の測定値との相関から各送電極と受信電極４との交点の静電容量あるいはそれらの変化を求め、近接演算手段８で加重平均などにより接近する物体の位置を演算する（例えば、特許文献２参照。）。
【０００７】
さらに、送信電極３に印加するパターンによりキャリアを変調して駆動することにより、充放電の回数を大幅に増やして効率良く検出する方法も開示されている（例えば、特許文献３参照。）。
【先行技術文献】
【特許文献】
【０００８】
【特許文献１】特表２００３−５２６８３１号公報
【特許文献２】特開平９−２９２９５０号公報
【特許文献３】特表２００９−５１６２９５号公報
【発明の概要】
【発明が解決しようとする課題】
【０００９】
以上に示した従来のマルチライン駆動による近接検出装置では、相関演算手段の演算量が多く、検出速度を速くするためには高速の演算器が必要であることが課題となっていた。また、送信電極に印加するパターンが完全に直交していない場合には、相関演算結果にクロストークを発生することが課題となっていた。
【００１０】
そこで、本発明では、これらの課題を解決するために、以下の装置及び方法を提供する。
【００１１】
つまり、送信電極に印加するパターン及び検出パネルの特性を行列として捉え、電流測定手段の測定値に送信電極に印加するパターンの逆行列を掛けることにより、送信電極に印加するパターンが完全に直交していない場合でも、クロストークのない検出パネルの各交点の静電容量に対応した値を得ることができる近接検出装置及びその方法である。
【００１２】
また、逆行列の演算の途中結果を記憶する記憶手段を設け、その記憶手段を活用して演算を高速に行うことを可能にするための送信電極に印加するパターンを用いることにより、高速の演算器を用いることなく高速に検出することのできる近接検出装置及びその方法である。
【課題を解決するための手段】
【００１３】
本発明は、上記課題を解決するために、以下の発明を開示する。
【００１４】
第１の発明は、物体の接近判定或いは接近位置を求める近接検出装置であって、支持手段上の検出領域における２つの次元のうち一方の次元に対応する複数の送信電極と、他方の１つの次元に対応する受信電極と、送信電極の少なくとも二つ以上の電極に周期的な交流電圧を同時に印加するマルチライン駆動手段と、受信電極からの電流あるいは蓄積された電荷量を送信電極への駆動に同期して測定する電流測定手段と、電流測定手段で測定した電流値あるいは蓄積された電荷量を送信電極と受信電極の各交点の静電容量に対応した値に変換し検出領域への物体の接近判定或いは接近位置を求める演算手段と、マルチライン駆動手段と電流測定手段と演算手段のステータス及びシーケンスを管理する制御手段とにより構成され、演算手段は、電流測定手段で測定した電流値あるいは蓄積された電荷量を線形演算し送信電極と受信電極の各交点の静電容量に対応した値に変換する線形演算手段と、線形演算手段の出力から検出領域への物体の接近判定或いは接近位置を求める近接演算手段とにより構成され、線形演算手段は、演算の途中結果を記憶し複数回読み出される記憶手段を有すること。
【００１５】
第２の発明は、上記第１の発明において、線形演算手段が、高速アダマール変換もしくは高速アダマール変換と同様の変換を行うこと。
【００１６】
第３の発明は、上記第１および２の発明において、マルチライン駆動手段が駆動するパターンはアダマール行列の逆行列またはアダマール行列の部分行列の逆行列であること。
【００１７】
第４の発明は、上記第２および３の発明において、マルチライン駆動手段が駆動するパターンを決定する送信電圧行列が、シルベスターの生成法によるアダマール行列もしくはシルベスターの生成法によるアダマール行列の行または列を入換えた行列もしくはそれらの部分行列の特定の行をマイナス１倍したものであり、線形演算手段における高速アダマール変換もしくは高速アダマール変換と同様の変換においてマイナス１倍した行に対応する電流測定手段の測定値をマイナス１倍したことと同等の演算を行うこと。
【００１８】
第５の発明は、上記第２及び第３の発明において、マルチライン駆動手段が駆動するパターンを決定する送信電圧行列が、シルベスターの生成法によるアダマール行列もしくはシルベスターの生成法によるアダマール行列の行または列を入換えた行列もしくはそれらの部分行列の特定の列をマイナス１倍したものであり、線形演算手段における高速アダマール変換もしくは高速アダマール変換と同様の変換においてマイナス１倍した列に対応する変換値をマイナス１倍したことと同等の演算を行うこと。
【００１９】
第６の発明は、上記第１から５のいずれかに記載の発明において、上記近接検出装置に従った入力装置を備えている情報機器であること。
【００２０】
第７の発明は、上記第６の発明において、情報機器が携帯電話からなること。
【００２１】
第８の発明は、上記第６の発明において、情報機器がマルチメディアプレイヤーからなること。
【００２２】
第９の発明は、上記第６の発明において、情報機器がナビゲーションシステムからなること。
【００２３】
第１０の発明は、上記第６の発明において、情報機器がコンピュータからなること。
【発明の効果】
【００２４】
本発明によれば、同時に複数の送信電極に交流電圧を印加することにより、比較的低い電圧で駆動したり高速で動作したりしてもクロストークのない良好な検出をすることが出来る近接検出装置及びその方法を実現することが出来る。電源電圧と検出速度と交流電圧の周波数が同じ場合には、ノイズの影響を小さくすることのできる近接検出装置及びその方法を実現することができる。
【図面の簡単な説明】
【００２５】
【図１】本発明に係る近接検出装置の好適な一実施例を示すブロック図
【図２】従来の近接検出装置のブロック図
【図３】本発明に係るマルチライン駆動手段の実施例を示すブロック図
【図４】本発明に係る駆動測定工程のタイミング図
【図５】本発明に係る近接検出方法の工程フロー図
【図６】本発明に係る近接検出方法の他の工程フロー図
【図７】本発明を用いる情報機器の一例を示す図
【図８】従来の近接検出装置のブロック図
【発明を実施するための形態】
【００２６】
以下、本発明を実施するための形態について、図面を参照して詳細に説明する。
【実施例】
【００２７】
本発明の好適な実施例を、図１を基に説明する。
【００２８】
本発明による近接検出装置は図１において、支持手段１上の検出領域２における２次元座標の一方の次元に対応する送信電極３ともう一方の次元に対応する受信電極４を互いに導通しないように絶縁層を介して設け、送信電極３の複数の電極に同時に周期的な交流電圧を印加するマルチライン駆動手段５と、送信電極３と受信電極４の交点の静電結合に対応して変化する受信電極４からの電流の大きさを送信電極３への駆動に同期して測定する電流測定手段６と、電流測定手段６で測定した電流値から送信電極３と受信電極４の各交点の静電結合に対応した値に変換した値あるいはその推移により検出領域２への物体の接近判定と接近位置を求める演算手段１０ａと、全体のステータス及びシーケンスを管理する制御手段９ａとにより構成した。演算手段１０ａは電流測定手段６で測定した電流値から送信電極３と受信電極４の各交点の静電結合に対応した値に変換する線形演算手段７と、線形演算手段７からの各交点の静電結合に対応した値あるいはその推移により検出領域２への物体の接近判定と接近位置を求める近接演算手段８とにより構成される。
【００２９】
本発明の特徴を、図１及び図５を参考にして、また従来例との違いを基にして説明する。
【００３０】
（１）演算手段１０ａまたは演算工程３０の相違。従来の相関演算手段１７から本発明の線形演算手段７へ置き換えた。従来、各送信電極３と受信電極４のそれぞれの交点の静電容量あるいはその変化を求めるために、送信電極３に印加したパターンと電流測定手段６で測定した電流値との相関を演算していたが、本発明では送信電極３に印加したパターンと検出パネルの特性を行列として捉え、電流測定手段６の測定値に送信電極３に印加するパターンの逆行列を掛けることにより、各交点の静電容量に対応した値を得る点が異なる。
【００３１】
（２）制御手段９ａにランダムなインターバルを加えるインターバル発生手段４１の追加。本発明では、ノイズの影響をランダムにする目的で送信電極３より出力するタイミングにランダムなインターバルを必要に応じて挿入する。それによりマルチライン駆動においてノイズの影響をランダムにすることができる。
【００３２】
（３）制御手段９ａにパワーセーブモード切替手段４２の追加。本発明ではマルチライン駆動であるため、指の近接位置を正確に求めるためには１周期の測定として送信電極３の数と同じ回数各送信電極３を駆動する必要がある。しかし、検出領域２上に人体の指などの検出対象が近接していない状態等正確な近接位置を知る必要がない場合には１周期の測定として送信電極３の数より少ない回数で各送信電極３を駆動することで電力消費を抑えることが実現できる。そのため、近接演算手段８により指などの検出対象の近接の有無を判断、いわゆる近接判定し、パワーセーブモード切替手段４２で指などの検出対象が近接していない場合には１周期の測定で送信電極３の数より少ない回数で各送信電極３を駆動するモード、いわゆるパワーセーブモードに切り替え、指などの検出対象が近接している場合には１周期の測定で送信電極３の数だけ各送信電極３を駆動するモードに切り替える。前述のパワーセーブモードでは各送信電極３の数より少ない回数で駆動するのであれば電力消費を抑えることが期待できるが、１回のみの駆動である場合がもっとも好ましい。この場合では検出領域２の検出位置は特定できないが全ての検出領域２での検出の有無の情報を得ることができる。パワーセーブモードにおいて指などの検出対象が検出された場合にはパワーセーブモードから１周期の測定で送信電極３の数だけ各送信電極３を駆動するモードに切り替えることで消費電力を抑えられる。
【００３３】
これより本発明による近接検出装置およびその方法を構成する各手段および各工程について、詳細に説明する。
【００３４】
支持手段１の検出領域２には、例えば縦方向の座標に対応する送信電極３と横方向の座標に対応する受信電極４を互いに直交して配置した。これらの電極は導電性であり、送信電極３と受信電極４の交点では絶縁層により両電極が直流的に絶縁されて電気的に静電結合している。
【００３５】
ここで、説明の便宜上、送信電極３は対応する座標値が１からＮまでの自然数で表される位置ごとに存在し、対応する送信電極３は添え字ｎによって区別されるものとする。同様に、受信電極４は対応する座標値が１からＭまでの自然数で表される位置ごとに存在し、対応する受信電極４は添え字ｍによって区別されるものとする。
【００３６】
また、送信電極３と受信電極４の配置は前述した実施例のように略直交した平面に限定されるものではなく、斜交座標や角度と原点からの距離からなる円座標など２次元座標に対応するものであればどのように配置しても良い。
マルチライン駆動手段５は、駆動パターンを示す送信電圧行列Ｔ（ｔ，ｎ）に対応した周期的な交流電圧を複数の送信電極３に印加する。送信電圧行列Ｔの添え字ｔは行列の行番号でｔ回目の駆動であることに対応し、添え字ｎは列番号でｎ番目の送信電極３に対応する。例えば、２回目の駆動で送信電極３に印加する交流電圧は、Ｔ（２，３）に対応する。
【００３７】
同時に印加される複数の交流電圧波形は、ある同一の交流電圧波形に送信電圧行列の対応する要素Ｔ（ｔ，ｎ）をそれぞれ係数として掛けた交流電圧波形になるようにした。従って、送信電圧行列の要素がマイナスの場合は逆相の交流電圧波形を印加することを意味する。この際、直流成分が重畳していても、影響はない。
【００３８】
ここで、送信電圧行列Ｔ（ｔ，ｎ）は、逆行列が存在する正方行列である正則行列とする。そのため添え字ｔは１から送信電極数Ｎまでの自然数となる。従来の線順次駆動の場合には、送信電圧行列Ｔ（ｔ，ｎ）は、単位行列Ｉ（ｔ，ｎ）に一致する。
【００３９】
また、周期的な交流電圧とは、例えば矩形波や正弦波や三角波などである。ただし、各電極はそれ自体に抵抗値と静電容量をもっているために高い周波数は減衰し、交点は直列の静電容量のために低い周波数が減衰する。これらを勘案して、送信電極３に印加する電圧の周波数は、減衰の小さい周波数にすることが望ましい。
【００４０】
さらに構成を簡単にするために、例えば送信電圧行列Ｔ（ｔ，ｎ）の各要素を、例えば１か０か−１のいずれかにするなど、０を除く各要素の絶対値が同じ値になるような正則行列にする。周期的な交流電圧を矩形波にすると、例えば図３に示すような簡単な論理回路でマルチライン駆動手段５を構成することが出来る。
【００４１】
ここで図３の構成の説明をする。図１の制御手段９ａ内にあるタイミング信号発生手段４０より送信電圧行列の行番号ｔに対応したタイミング信号を図３の送信電圧行列参照手段１２に出力するとともに、同期して矩形波を発生するためのタイミング信号を矩形波発生手段１１に出力する。矩形波発生手段１１は前述のタイミング信号を元に複数サイクルの矩形波を生成し、インバータ１６を経由する配線とインバータ１６を経由しない配線の二種をもってＮ個存在する選択手段１３へ接続される。選択手段１３は、送信電圧行列の対応する要素の値が１の場合はインバータ１６を経由しない配線を選択し、送信電圧行列の対応する要素の値が−１の場合はインバータ１６を経由する配線を選択し、送信電圧行列の対応する要素の値が０の場合には０Ｖの配線を選択するようにした。選択手段１３で選択された信号は、必要に応じて遅延時間調整手段１４を経由し、駆動波形として出力される。前述の遅延時間調整手段１４は直列に抵抗が接続され、抵抗を介した後に定電圧電源に接続されたコンデンサの他方の端子が接続されている。遅延時間調整手段１４の出力には、インピーダンスを下げるために必要に応じてバッファを設けても良い。
【００４２】
送信電圧行列参照手段１２への送信電圧行列Ｔ（ｔ，ｎ）のある要素が０の場合には、その要素に対応する交流電圧波形を０Ｖにするために例えば選択手段１３により０Ｖを送信電極３に接続する。他の要素においても同様のように選択手段１３で選択した電圧を送信電極３に接続する。このように、送信電圧行列Ｔ（ｔ，ｎ）の要素により、動作させればよい。
【００４３】
なお、図１における受信電極４は、それ自体に抵抗値と静電容量をもっているために交流の伝達に遅延時間を生じる。図３において選択手段１３の後ろにある遅延時間調整手段１４は、これを微調整するためのもので、必要に応じて設ける。これは送信電極３により異なる受信電極４までの遅延時間を微調整するためのものである。つまり、電流測定手段６に遠い送信電極３に合わせるために、近い送信電極３の遅延時間を長く設定するというものである。それにより、受信電極４までに発生する遅延時間のばらつきの影響が解消され、同時期に電流測定手段６へ伝達されることが期待できる。
【００４４】
このｎ番目の送信電極３に印加された周期的な交流電圧は、ｎ番目の送信電極３とｍ番目の受信電極４との交点の静電結合を介して、ｍ番目の受信電極４に伝達される。検出面の汚れなどの影響があると、接近した物体自体のインピーダンスが高いため、接近した物体を介しての電界により送信電極３と受信電極４の間の電界が増えて、送信電極３と受信電極４の間の静電結合は増加し、受信電極４に流れる受信電流も大きくなる。逆に検出対象の人の指など比較的インピーダンスの低い物体が接近した場合には、送信電極３からの交流電界を吸収する作用の方が強いために、送信電極３と受信電極４の間の静電結合は減少し、受信電極４に流れる受信電流は小さくなる。従って、汚れと人の指などの検出対象は、容易に区別することができる。
【００４５】
ここで、受信電極４は、検出対象の交点近傍以外に物体が接近しても影響がないようにするために、接地あるいは仮想接地などにより電圧の変動が抑えられている。このため、受信電極４への伝達は、電圧と言うよりはむしろ電流である。つまり、選択された送信電極３とある受信電極４との交点には、静電結合により交流電界が発生するために、受信電極４に受信電流が流れるのである。そこで、物体が接近した交点では交流電界が変化するために、受信電極４に流れる受信電流が変化する。
【００４６】
電流測定手段６では、マルチライン駆動手段５により送信電極３に送信電圧行列Ｔ（ｔ，ｎ）に対応した交流電圧波形が印加される毎に、ｍ番目の受信電極４に流れる受信電流を測定して、例えばデルタシグマ型のＡＤ変換器等によりデジタル値に変換し、対応する受信電流行列Ｒ（ｔ，ｍ）の値を更新して線形演算手段７に出力する。ここでの添え字ｔは行列の行番号でマルチライン駆動手段５でのｔ回目の駆動による電流であることを示し、添え字ｍは列番号で受信電極４の番号に対応する。
【００４７】
ここで、各交点の静電容量の値は通常１ｐＦ程度の微小な値であり、受信電極４に流れる受信電流やその変化も微弱である。そのため、受信電極４に流れる受信電流を検出するために、送信電極３から印加される複数の周期による電流を累積して検出する。しかし、受信電極４に流れる受信電流は交流であるため、単純に累積してしまうと累積値がゼロになってしまう。これを回避するために、従来の線順次駆動の場合と同様な手法を用いることが可能である。つまり、交流電流の位相に同期した累積をするという事である。例えば、送信電極３に印加される周期的な交流電圧に同期して累積コンデンサをスイッチ切り換えする方法は特許文献１により開示されている。また、送信電極３に印加される周期的な交流電圧に同期して復調波形を畳み込むことにより累積する方法も他の文献により開示されている。但し、送信電圧行列の値によっては、受信する電流値は負の値になる場合もある。この場合にも受信回路が飽和しないように配慮をする必要がある。具体的な方法として線形演算手段７における、例えば基準電圧や電源電圧などについて、飽和しないような値に設定や調整をするということである。
【００４８】
また電流測定手段６において、検出対象の物体が接近していない場合の測定値に近い値をオフセットとして差し引くようにすると、物体の接近による測定値の変化をより正確に測定することが出来る。この際、検出対象の物体が接近していない場合の測定値は、送信電圧行列Ｔ（ｔ，ｎ）の影響を大きく受ける。そのため、添え字ｔに対応して異なる値をオフセットとして差し引くようにした。さらに、検出面の汚れ等の影響がある場合などには、ｍ番目の受信電極４ごとに異なる値をオフセットとして差し引くようにすると良い。
【００４９】
マルチライン駆動を行った場合に測定される受信電流行列Ｒ（ｔ，ｍ）の値は、数１に示すように、送信電圧行列Ｔ（ｔ，ｎ）と交点結合行列Ｐ（ｎ，ｍ）との行列の積によって表される。ここで、交点結合行列Ｐ（ｎ，ｍ）とは、２次元の座標に対応した電極の各交点の静電結合の強さに対応するもので、送信電圧行列が単位行列の線順次駆動を行った場合に得られるであろう受信電流行列の値を想定したものである。なお、ここでの添え字ｎは行列の行番号でｎ番目の送信電極３に対応し、添え字ｍは列番号でｍ番目の受信電極４に対応する。
【００５０】
【数１】
2011047774.tif 000003
【００５１】
何故ならば、静電結合による電流は線形であるために加法定理が成り立つからである。例えば、ｎ１番目の送信電極３に１Ｖの交流電圧を印加した場合にｍ番目の受信電極４へ流れ込む受信電流をＲ（ｎ１，ｍ）とし、ｎ２番目の送信電極３に１Ｖの交流電圧を印加した場合にｍ番目の受信電極４へ流れ込むる受信電流をＲ（ｎ２，ｍ）とする。ｎ１番目の送信電極３に２Ｖ，ｎ２番目の送信電極３に３Ｖの交流電圧を同時に印加した場合には、Ｒ（ｎ１，ｍ）を２倍し、Ｒ（ｎ２，ｍ）を３倍して加算した電流がｍ番目の受信電極４に流れる。
【００５２】
したがって、線形演算手段７では、数２に示すように電流測定手段６からの受信電流行列Ｒ（ｔ，ｍ）に送信電圧行列Ｔ（ｔ，ｎ）の逆行列を左から掛ける。これにより、線順次駆動を行った場合に流れるであろう交点結合行列Ｐ（ｎ，ｍ）に変換する。送信電圧行列は正則行列のため、逆行列は必ず存在する。数２は、数１の両辺に送信電圧行列Ｔ（ｔ，ｎ）の逆行列を左から掛けて、右辺と左辺を入れ換えたものである。
【００５３】
【数２】
2011047774.tif 000004
【００５４】
但し、ここでの送信電圧行列Ｔ（ｔ，ｎ）の逆行列は、都度演算する必要はなく、通常予め演算されたものを使用すれば良い。
【００５５】
また、線形演算手段７の演算は必ずしも行列の掛け算を行う必要はなく、送信電圧行列Ｔ（ｔ，ｎ）の逆行列の要素の値が０になる項については演算の必要がないし、要素の値が１または−１に同一の係数を掛けた値の場合には単純な加減算を行えば良い。つまり、送信電圧行列Ｔ（ｔ，ｎ）の逆行列の全要素に同一の係数を掛けてから数２の演算を行うようにしても良い。こうすることにより、小数の要素をすべて整数にすれば、演算が簡単になるからである。特に０を除くすべての要素の絶対値が同一の値の場合などには、係数倍によりすべての要素を１か０か−１にすることができるため、簡単な加減算のみにすることができる。係数倍しても、近接演算手段８では、絶対値でなく相対値で近接演算するため、演算の結果には殆ど影響がないという特徴があるため、各要素を整数になるよう係数倍することは有益である。以降の数式の説明においても、逆行列の演算等により生じる係数についても特に問題とする必要はない。
【００５６】
なお、線形演算手段７では、図１に示すように、演算の途中結果を記憶する記憶手段１５を設け、一旦演算した途中結果を記憶し、記憶した値を複数回読み出して活用することにより、同じ演算を重複して繰り返し行わないようにすることが出来る。
こうして、線形演算手段７での演算量を減らして、演算時間を短くすることが出来る。例えば、送信電圧行列にアダマール行列を用いる場合には、高速アダマール変換を行う。
【００５７】
その他の送信電圧行列の場合の線形演算の高速化については、後に詳細に説明する。
【００５８】
なお、本発明における演算の途中結果とは、送信電圧行列に対応して電流測定手段６で測定した受信電流の値から送信電極３と受信電極４との各交点の静電容量に対応した値を求める際に、一時的に記憶される値でのことである。従って、この演算の途中結果は、送信電圧行列と受信電流の値に依存したものである。本発明においては、特に繰り返して同じ演算をしないようにして線形演算の演算量を削減することを意図したものである。そして、一度記憶された値は複数回読み出されて再利用される特徴がある。また、線形演算の基になる受信電流の値及び線形演算の結果である送信電極３と受信電極４の各交点の静電容量に対応した値は、演算の途中結果として含まないものとする。
【００５９】
送信電圧行列の値から送信電極３と受信電極４の各交点の静電容量に対応した値を求める際には、通常各交点の静電容量に対応した値を個別に演算する。しかし、本発明においては、別の交点の静電容量に対応した値を演算する際にも部分的に全く同じ演算をすることがあることに着目して、演算途中結果を記憶して複数回読み出す。以上により、演算の重複を無くして演算量を少なくして、線形演算に要する時間と消費電力を削減を実現する。
【００６０】
線形演算手段７の演算は、論理回路、プロセッサやアナログ回路等により実現することができる。
【００６１】
近接演算手段８は、線形演算手段７で求めた２次元の座標に対応した電極の各交点の静電結合に依存した電流値として、線順次駆動を行った場合に流れるであろう交点結合行列Ｐ（ｎ，ｍ）あるいはその推移から、検出対象の物体の接近と位置を演算する。
【００６２】
制御手段９ａは、全体動作のステータス及びシーケンスを管理する。ここでいうステータスとは、例えば電流測定中などの状態を指し、シーケンスとは電流測定のＯＮやＯＦＦの手順などを指す。制御手段９ａはタイミング信号発生手段４０とインターバル発生手段４１、パワーセーブモード切替手段４２などにより構成した。ただし、インターバル発生手段４１及びパワーセーブモード切替手段４２は必要に応じて加える。
【００６３】
本発明による近接検出方法による、具体的な動作の例について、図５を基に説明する。これは駆動測定工程２０で送信電圧行列のＮ行分の駆動と測定をまとめて行ってから演算工程３０で演算を行う場合の例である。近接検出方法を開始し、駆動測定工程２０では、駆動して電流を測定し受信電流行列の更新を行なう。このために、駆動測定工程２０はマルチライン駆動工程２６と受信電流を測定するための電流測定工程２１がある。このマルチライン駆動工程２６と電流測定工程２１はほぼ同時に行なわれる。またマルチライン駆動工程２６はマルチライン波形発生工程２４と、必要に応じて遅延時間調整工程２５を有する。受信電流行列の更新をｔ＝１〜ＮまでＮ回繰り返すことで送信電圧行列全要素に対応した駆動を一通り行う。その後、演算工程３０を行なう。演算工程３０は線形演算工程２２と近接演算工程２３とにより成り立つ。線形演算工程２２により駆動測定工程２０で更新された受信電流行列を、線形演算を行ない、交点結合行列を更新する。そして近接演算工程２３により線形演算工程２２で更新された交点結合行列の値あるいはその推移から、検出対象の物体の接近や位置を検出する。この一連の工程を一定周期で繰り返すことで近接検出方法を実現する。但し、これは一例であり、例えば並列処理などにより線形演算工程２２や近接演算工程２３中に次の駆動測定工程２０を同時に行うようにしてもよい。
【００６４】
このように、駆動測定工程２０では、マルチライン駆動工程２６による送信電極３への駆動を行いながら受信電極４の電流を電流測定工程２１で測定し、デジタル値に変換する。この際、通常駆動の回数ｔが１からＮに至るまでＮ回繰り返すことにより、送信電圧行列の全要素に対応した駆動を一通り行う。
【００６５】
より詳細な送信電極３への駆動と受信電極４からの電流測定のタイミングの模式図を、図４に示す。
【００６６】
図４において、駆動波形は各送信電極３の電圧波形を示したものであり、電流測定については、駆動波形に対応した交流電流を測定するタイミングを示したものである。ランダムインターバルは、ノイズの影響をランダムにするためのランダムな待ち時間の挿入で、例えば送信電極３に対応した電流を複数回測定する間に任意のインターバルを必要に応じて挿入すればよい。横軸は、これらに共通の時間軸である。駆動波形１から駆動波形６と便宜上６つの波形を図４では示しているが、これは模式的なものであり、駆動波形の数はＮ個存在する。例えば駆動波形１と駆動波形２で電流測定がｔ＝４のときに、駆動波形１は立ち上がりから開始する３サイクルの短形波を印加しているのに対し、駆動波形２では極性を反転させて立下りから開始する３サイクルの短形波を印加している。また、駆動波形４の電流測定ｔ＝５の状態や、駆動波形６における電流測定ｔ＝６についてでも極性を反転させて立下りから開始する３サイクルの短形波を印加しており、それ以外では立ち上がりから開始する３サイクルの短形波を印加している。これらの極性は、送信電圧行列の各要素の値に対応したものである。
【００６７】
図４のタイミングは、後述する数１３に示す行列Ｔを送信電圧行列として用いた場合の一例であり、送信電圧行列の値に基づいた極性で各送信電極３に順次駆動波形が印加される。この模式図では、便宜上１回の駆動における矩形波の印加を３サイクルとしているが、この限りでないことは言うまでもない。なお、送信電極３への駆動と受信電極４からの交流の電流測定は従来の線順次駆動３５の場合と同様に同期が取られており、反転した駆動による電流測定値は符号が逆になる。このように駆動して測定された電流により受信電流行列の値が更新される。送信電圧行列の全要素に対応した駆動を一通り行なうことにより、受信電流行列の全要素も更新される。
【００６８】
線形演算工程２２では、電流測定工程２１で更新された受信電流行列を、線形演算手段７で線形演算を行って、交点結合行列の値を更新する。この際、後に詳細に説明するように、演算の重複をさけるために、記憶手段１５を活用する。
【００６９】
近接演算工程２３では、線形演算工程２２で更新された交点結合行列の値あるいはその推移から、近接演算手段８により検出対象の物体の接近や位置を検出する。
【００７０】
但し、検出対象の物体が未だ接近していない場合で正確な位置の演算をする必要がない場合などでは、必ずしも送信電圧行列の全ての行について送信電極３への駆動と受信電極４からの電流測定を行う必要はない。最低限、全ての送信電極３が駆動されるための送信電圧行列の行についてのみ駆動すれば良い。言い換えると、各列について最低１回は駆動するようにすれば良い。例えば、前述の数１３に示す送信電圧行列Ｔを用いる場合には、ｔ＝１〜３に対応する行についてのみ駆動すれば全ての送信電極３が駆動されるし、数９に示す送信電圧行列Ｔを用いる場合には、いずれか１行についてのみ駆動すれば良い。つまり、送信電極３の数よりも駆動回数のほうが少ない回数で駆動する。この場合には変化のみを抽出できれば良いので線形演算工程２２を省略しても良い。何故ならば、どの交点に物体が接近しても、受信電流行列の値に通常何等かの変化があるために、近接演算手段８で物体が接近したことを検出することが可能だからである。こうすることにより、物体が接近するのを待っている状態での消費電力を小さくすることができる。いわゆるパワーセーブである。例えば、後述する全ての送信電極３を同時に駆動する場合などでは、図６に示すように、送信電圧行列１行分について送信電極３への駆動と受信電極４からの電流測定を行うのみにすることも可能である。また、数１３に示す送信電圧行列Ｔの場合には、最初の３行分の駆動により全ての送信電極３が駆動される。
【００７１】
図６に示す手順の説明を行なう。図６では、図５とほぼ同様の工程を有している。異なる点は、駆動測定工程２０での駆動測定回数である。この近接検出方法では、例えば送信電圧行列の１行分の駆動と測定を行うごとに、更新された受信電流行列を基に線形演算と近接演算をおこない、これを一定周期ごとに繰り返す近接検出方法を示したものである。これによりパワーセーブモードを実現する。
【００７２】
以上に数１及び数２を基に説明したが、送信電圧行列Ｔ（ｔ，ｎ）および交点結合行列Ｐ（ｎ，ｍ）および受信電流行列Ｒ（ｔ，ｍ）の転置行列を用いて、行列の掛け算の順番を入換えても同様であることは、言うまでもない。この場合は、数３が数１に対応し、数４が数２に対応する。この演算処理は、線形演算手段７により線形演算工程２２で行なわれるものである。
【００７３】
【数３】
2011047774.tif 000005
【００７４】
【数４】
2011047774.tif 000006
【００７５】
なお、以上に電流測定手段６で送信電極３の交流電圧波形と送信電極３と受信電極４との交点の静電容量に対応した交流電流を測定した場合の例を示したが、電流測定手段６では、ステップ状の電圧変化を送信電極３に印加した場合に送信電極３と受信電極４の交点の静電容量に比例して流れる電荷量に対応した値を測定しても良い。この場合には、送信電圧行列Ｔ（ｔ，ｎ）に対応してｎ番目の送信電極３の極性を含めた電圧変化をＶ（ｔ，ｎ）、交点結合行列Ｐ（ｎ，ｍ）に対応してｎ番目の送信電極３とｍ番目の受信電極４の交点の静電容量をＣ（ｎ，ｍ）、受信電流行列Ｒ（ｔ，ｍ）に対応して電流測定手段６で測定するｍ番目の受信電極４に流れる電荷量をＱ（ｔ，ｍ）、電荷量を測定するための送信電極３の電圧変化の回数をｌとすると、数５と数６が成り立つ。数６は線形演算手段７及び線形演算工程２２により交点結合行列に対応する交点の静電容量への変換に利用される。
【００７６】
【数５】
2011047774.tif 000007
【００７７】
【数６】
2011047774.tif 000008
【００７８】
これらの数５と数６は、数１と数２に対応したものである。また、数５と数６についても、数７と数８に示すように、転置行列を用いて行列の掛け算の順番を入れ換えても同様であることは、言うまでもない。
【００７９】
【数７】
2011047774.tif 000009
【００８０】
【数８】
2011047774.tif 000010
【００８１】
これより、本発明の特徴である送信電圧行列Ｔ（ｔ，ｎ）の各要素の値と効果の関係について説明する。前述したように、送信電圧行列は、逆行列が存在する正則行列である必要がある。また、送信電圧行列Ｔ（ｔ，ｎ）の要素の値は、駆動回路を簡単にするためには、１か０か−１に同一の係数を掛けた値であることが望ましい。さらに、線形演算を簡単にするためには、逆行列の要素も整数に同一の係数を掛けた値、特に１か０か−１に同一の係数を掛けた値であることが望ましい。また、送信電圧行列が直交行列の場合には、効率的に電源電圧を小さくすることができる。ここでいう直交行列とは、転置行列との積が単位行列の係数倍となる行列のことである。
【００８２】
これらの条件を満たす行列として、例えばアダマール行列が知られている。このアダマール行列とは、要素が１または−１のいずれかであり、かつ各行が互いに直交であるような正方行列である。
【００８３】
第１の送信電圧行列の例として、このアダマール行列により全ての送信電極３を同時に駆動する場合について説明する。なお、説明の便宜上、ここではシルベスターの生成法による数９に示す８行８列のアダマール行列を用いる場合について説明するが、この限りではない。なお、以降の例においても便宜上比較的小さい行列でその特徴を説明するが、同様にその限りでないことは言うまでもない。
【００８４】
【数９】
2011047774.tif 000011
【００８５】
この場合には、従来の線順次駆動の場合と比較すると、各電極とも駆動する回数が８倍になっており、同じ電圧で駆動した場合には、駆動には８倍の消費電力が必要になる。しかし、線順次駆動を行った場合に流れるであろう交点結合行列Ｐ（ｎ，ｍ）を求める場合に掛け算する送信電圧行列の逆行列は各要素の大きさが８分の１になっている。この８分の１倍の演算により、ノイズの大きさも８分の１倍になる。このため、８回の駆動の合成ノイズの強さは、ノイズがランダムの場合には二乗和の平方根により求められるため、線順次駆動の場合のノイズの強さを１とすると、数１０に示すように約０．３５倍になる。あるいは、８回の測定値の平均によってノイズが約０．３５倍になると考えても良い。このように直交行列を用いた場合には、同時に駆動する送信電極３の数の平方根の逆数に比例してノイズを減衰させることができる。
【００８６】
【数１０】
2011047774.tif 000012
【００８７】
また、従来の線順次駆動の場合と同様のＳ／Ｎ比とする場合には、信号の強さは駆動する電圧に比例するため、電源電圧を約０．３５倍に小さくすることができる。ここで、駆動のために必要な消費電力が電源電圧の二乗に比例すると考えられるので、駆動回数式が８倍になってもほぼ同じ消費電力に抑えることが出来る。また、昇圧回路の規模や昇圧電力効率や駆動回路の耐圧などを考慮すると、駆動電圧を大幅に低くできるメリットは大きい。あるいは、同時に複数の送信電極３を駆動することにより、例えば同じ電源電圧で駆動する場合には駆動するマルチライン駆動手段５より出力される交流電圧のサイクル数を少なくすることができることにより検出速度を速くすることができる。
【００８８】
このように送信電圧行列をシルベスターの生成法によるアダマール行列にした場合には、線形演算手段７および線形演算工程２２での逆行列を掛ける線形演算に、数１１に示すような高速アダマール変換を各受信電極ｍについて用いることができる。
【００８９】
【数１１】
2011047774.tif 000013
【００９０】
本発明における高速アダマール変換とは、必ずしも一般的なアダマール変換と同一のものではなく、アダマール行列に送信電極３の駆動パターンにより異なる受信電流の値を掛け算する場合に、演算の途中結果を線形演算手段７の記憶手段１５記憶し、記憶した値を複数回読み出すことにより演算量を削減して、高速に送信電極３と受信電極４との各交点の静電容量に対応した値に変換する方法のことを言う。
【００９１】
例えば、数１１のように予め多用する演算処理の結果を記憶させることで、高速アダマール変換を用いない数１２の場合と比較して、演算量を削減して線形演算の時間を短くする。数１１に於いて、Ｒｔ（ｔは添え字）は時刻ｔにおけるある受信電極４の受信値で、Ｐｎ（ｎは添え字）はｎ番目の送信電極３と受信電極４との交点の静電容量に対応する。ここで、Ｍｉｊ（ｉ，ｊは添え字）は記憶手段１５に記憶するデータであり、高速アダマール変換を行なう際に必要となる要素である。添え字のｉは１から（ｌｏｇ2Ｎ−１）までの整数であり、添え字のｊは１からＮまでの整数である。例えば、Ｎ＝８の場合、Ｍ１１〜１８，Ｍ２１〜２８と表され、図１に示す記憶手段１５に記憶される。但し、Ｎがより大きい場合でも、実際にはＭ２ｊの演算が終わったらＭ１ｊの値は不要であり、Ｍ１ｊの記憶手段はＭ３ｊの記憶手段として用いることができる。つまり、ｉの値として奇数用と偶数用の記憶手段があれば充分であり、各々の容量はＮの２倍の値を記憶できれば充分である。
【００９２】
【数１２】
2011047774.tif 000014
【００９３】
Ｍの添え字ｉは高速アダマール変換における演算の順番に対応し、まずｉ＝１のＭ１ｊから演算を行い、最後にＰｊの演算を行う。各ｉ及びＰについてのＮ個の演算は、隣接するＮ／２組の各々について和を演算した後に差を演算する。
【００９４】
通常シルベスターの生成法による２のｋ乗のアダマール行列を掛ける場合には、一つの受信電極４について演算する場合に、例えば数１２にｋが３の場合の例を示すように２のｋ乗と２のｋ乗−１の積の回数の加減算が必要である。高速アダマール変換を用いると２のｋ乗とｋの積の回数になる。したがって、アダマール行列の行数あるいは列数の大きい場合ほど、演算量削減の効果が大きい。
【００９５】
また、演算式はこの限りではなく、最終的に同じ結果が得られる演算であればどのように演算しても良い。例えば、Ｍ２８をＭ１８からＭ１７を差し引くようにして、Ｐ４とＰ８を演算する場合のＭ２８の加減算を逆にしても同じ結果が得られる。このような考え方は、以降の数式においても同様であることは言うまでもない。
【００９６】
なお、駆動するごとに受ける周期的なノイズとの位相関係をランダムにするために、図４に示すように、各駆動間にランダムなインターバルを入れて、駆動するごとの交流電圧の位相の関係が一定にならないようにしても良い。
【００９７】
但し、シルベスターの生成法によるアダマール行列の場合には、２のべき乗の大きさであるために、送信電極３の数が２のべき乗の場合に限られる。次に数１３に示す第２の送信電圧行列の例では、送信電極３の数が２のべき乗に限らないものであり、シルベスターの生成法によるより小さいアダマール行列を対角要素に入れてより大きな送信電圧行列を構成したものである。例えば、２行２列のアダマール行列３個を対角要素に入れて６行６列の送信電圧行列を構成した場合の例を、数１３に示す。ただし、駆動する周期を短くして電極間の検出の同時性を高めるために、数１３に示すように、送信電圧行列は行を並べかえたものを用いてもよい。また、列を並べかえても、特に支障はない。
【００９８】
【数１３】
2011047774.tif 000015
【００９９】
この例では、数９の場合の例と同様に、従来の線順次と同様のＳ／Ｎ比としつつ、電源電圧を２の平方根の逆数倍、すなわち約０．７１倍に小さくすることができる。この場合の消費電力も、線順次駆動の場合とほぼ同じである。あるいは、同様に検出速度を早くしても良い。
【０１００】
以上に、シルベスターの生成法によるアダマール行列そのものあるいは部分行列にシルベスターの生成法によるアダマール行列のみを用いた場合の例を示したが、さらに、シルベスターの生成法による２行２列のアダマール行列の各要素を−１倍して左右の列を入れ換えたものを４行１列目と６行３列目と２行５列目からはじまるように追加した場合の例を、数１４に示す。
【０１０１】
【数１４】
2011047774.tif 000016
【０１０２】
この例では、送信電極３の数が２のべき乗である必要はなく、同時に４つの送信電極３を駆動しているため、数１３の場合の例より電源電圧や検出速度を改善したものである。
【０１０３】
アダマール行列の存在しない大きさの送信電圧行列の他の求め方として、より大きなアダマール行列の部分行列を用いるようにしても良い。例えば７行７列の送信電圧行列として、８行８列のアダマール行列の例えば１行目と８列目を除いた部分行列として、数１５に示す送信行列を得る。
【０１０４】
ただし、このように送信電極３の数が奇数で要素が１か−１のみの場合には内積が零になることがないため、直行することはなく、従来のように相関を演算してもクロストークを生じてしまう。それでも、数１５に示すように逆行列を用いることにより、クロストークのない各送信電極３と受信電極４のそれぞれの交点の静電容量に対応した値を得ることが可能になる。
【０１０５】
また、この場合には直交行列とはならないため、７つの送信電極３を同時に駆動していても、４回の測定の平均を行った場合と同じ効果しか得られない。それでも、線順次駆動と比較すると、例えば同じ電圧で駆動した場合に４倍に検出速度を短くできる効果は大きい。ここでいう４回の測定とは、線形演算工程２２において交点結合行列の各要素の値を求めるために、数１５で示されるＴの逆行列の各行において０でない要素が４要素あることに対応するものである。つまり、７回送信電極３は駆動するが、各交点結合の静電容量はそのうち所定の４回の測定により決定されるということになる。
【０１０６】
【数１５】
2011047774.tif 000017
【０１０７】
なお、数９に示したシルベスターの生成法によるアダマール行列を用いると、１行目を駆動している時には全ての送信電極３の極性が同じになるために、指が接近していない場合でも、受信電極４を流れる合成された電流が大きくなり、電流測定手段６において飽和を生じやすくなる。このように送信電圧行列の行に印加される電流の合計値の絶対値が大きいと電流測定手段６において飽和しやすくなる。数９に示すアダマール行列の場合には、１行目の合計値が８で、他の行の合計値は０である。飽和を回避するために、電流測定手段６のゲインを下げてしまうと、検出の分解能を低下させたり、電流測定手段６が受けるノイズの影響が相対的に大きくなったりしてしまう。
【０１０８】
そこで、電流測定手段６のゲインを下げずに飽和を回避するために、送信電圧行列Ｔの列毎に係数倍することにより、指が接近していない場合の受信電流を小さくして、電流測定手段６での飽和を生じないようにすることが出来る。さらに、行の合計値の極性を揃えるために、行毎に係数倍しても良い。例えば、数９に示すシルベスターの生成法によるアダマール行列の２列目と３列目と５行目をマイナス１倍した数１６に示す送信電圧行列Ｔを用いることにより、行の合計値の絶対値の最大のものが４になるため、指が接近していない場合の受信電極４の電流の最大値は数９に示すシルベスターの生成法によるアダマール行列の約半分に抑えることができる。この場合の逆行列は、送信電圧行列の転置行列を８で割ったものである。
【０１０９】
【数１６】
2011047774.tif 000018
【０１１０】
なお、線形演算手段７での逆行列の演算に高速アダマール変換を各受信電極ｍについて活用するために、送信電圧行列の列ｎをマイナス１倍した場合については対応する高速アダマール変換の結果Ｐ（ｎ，ｍ）をマイナス１倍し、送信電圧行列の行ｍをマイナス１倍した場合には対応する受信電極４の受信値Ｒ（ｔ，ｍ）をマイナス１倍してから高速アダマール変換するようにすれば良い。例えば、数１６に示すように２列目と３列目と５行目をマイナス１倍してアダマール行列を改良した場合には、数１７に示すように、Ｒ５とＰ２とＰ３にマイナスの符号がつくようにすれば良い。
【０１１１】
【数１７】
2011047774.tif 000019
【０１１２】
なお、ここでは２列目と３列目と５行目をマイナス１倍した場合の例を示したが、この限りではなく、行の合計値の範囲が小さくなるものであればアダマール行列のどの行や列にマイナス１倍をしても良い。これらの係数は、例えば列の係数について１またはマイナス１の全組み合わせについて各行の合計値の絶対値を小さくなるものをプログラムで判定させて、各行の合計値がマイナスの行をマイナス１倍するようにしても、容易に得ることが出来る。あるいは、各行の合計値の絶対値の大きな行に着目してその値を小さくするように列の係数を変えるようにするとより高速に望ましい係数を容易に求めることができる。
【０１１３】
以上に例を挙げて、送信電圧行列の決め方について、便宜上送信電極３の数が少ない場合について説明したが、送信電極３の数が増えた場合でも同様の方法で送信電圧行列を決めることができることは言うまでもない。
【０１１４】
以上にアダマール行列を基に送信電圧行列を決める方法について説明した。しかし、この方法では、例えば数１５に示すようにアダマール行列の部分行列を用いた場合には、逆行列はアダマール行列とは全く要素が異なるため、線形演算手段７での逆行列の演算を高速で実行することは困難である。この課題を解決するためには、線形演算手段７で用いる逆行列を、アダマール行列の部分行列になるようなものにして、送信電圧行列を線形演算手段７で用いる逆行列の逆行列にすれば良い。このために、例えば、数１５の送信電圧行列とその逆行列を入れ換えることにより、この課題を解決することができる。
【０１１５】
例えば、数１８の例では、シルベスターの生成法による８行８列のアダマール行列の１行目と８列目を除いた部分行列の２行目をマイナス１倍したものを線形演算手段７で用いる送信電圧行列Ｔの逆行列とした。この場合、送信電圧行列Ｔは、線形演算手段７で用いる逆行列のさらに逆行列を演算することにより決定した。何故ならば、逆行列の逆行列は元の行列に一致するからである。
【０１１６】
【数１８】
2011047774.tif 000020
【０１１７】
このように、送信電圧行列Ｔ及びその逆行列を決定することにより、線形演算手段７での演算に高速アダマール変換を応用することが可能になる。つまり、線形演算手段７での逆行列を求める際にシルベスターの生成法によるアダマール行列から除いた行に対応する送信電極ｎについて、各受信電極ｍとの交点の静電容量に対応した値Ｐ（ｎ，ｍ）は存在しなくなる。また、アダマール行列から除いた列に対応する時間ｔについての受信値Ｒ（ｔ，ｍ）も存在しなくなる。また、部分行列のある行や列をマイナス１倍した場合の対応は、前述した数１６と数１７との関係と同様である。
【０１１８】
例えば、上記の数１８による送信電圧行列の場合の例を数１９に示す。送信電圧行列の逆行列を決定する際にアダマール行列の１行目を除いたことに対応して、数１１のＰ１を求めた演算の部分が不要になり、数１１におけるＰ２〜８が一つずれて数１９におけるＰ１〜７にそれぞれ対応する。また、アダマール行列の８列目を除いたことに対応して、Ｒ８が存在しなくなる。さらに、アダマール行列の部分行列の２行目をマイナス１倍したことに対応して、Ｐ２の値がマイナス１倍される。
【０１１９】
【数１９】
2011047774.tif 000021
【０１２０】
これらの演算が正しいことは、数１８の送信電圧行列Ｔの逆行列を数２に代入した演算と数１９を各受信電極ｍについてあてはめて演算した結果が一致することにより確認される。
【０１２１】
また、以上に送信電圧行列Ｔとその逆行列について説明したが、電圧変化を示す行列Ｖとその逆行列についても同様である。
【０１２２】
なお、以上に説明した送信電圧行列や受信電流行列や交点結合行列は、便宜的に抽象的な表現をしたもので、具体的には複数の記憶素子あるいは演算手段１０ａなどにより実現されることは言うまでもない。
【０１２３】
以上に示したように、本発明によると、アダマール行列を基に部分行列や任意の行や列を係数倍したり逆行列を用いたりする操作を加えて送信電圧行列を決定することにより、複数の送信電極３を同時に駆動して検出効率を高めるマルチライン駆動において、クロストークがなく、検出速度の速い検出を可能にする近接検出装置及びその方法を実現することができる。
【０１２４】
以上に本発明による線形演算で送信電圧行列の逆行列を演算する場合の実施例について、高速アダマール変換を応用して効率的に高速化する方法を詳細に説明したが、演算の途中結果を記憶することにより受信電流の値から送信電極３と受信電極４の各交点の静電容量に対応した値を高速で求める方法はこの限りではない。例えば、本発明による演算の高速化は、従来の相関演算に送信電極３と受信電極４の各交点の静電容量に対応した値を求める際にも同様に用いることができる。つまり、共通した演算の途中結果を記憶手段１５で記憶して、複数回読み出すことにより、演算量を削減することができる。但し、相関演算では、演算の重複は通常少ないために、高速アダマール変換を応用した送信電圧行列の逆行列演算のように効率的に演算量を削減するものではない。
【０１２５】
また、本発明による近接検出装置及び近接検出方法により、図７ａに示すような携帯電話や図７ｂに示すようなマルチメデイアプレーヤーや図７ｃに示すようなナビゲ―ションシステムや図７ｄに示すようなコンピュータなどのディスプレイ装置上に透明な検出パネルを重ねることにより、ノイズに強い安定したスムーズな操作を可能にした携帯機器やコンピュータなどの情報機器を構成することが出来る。
【０１２６】
図７（ａ）〜（ｄ）に示す情報機器の構成として、情報機器を保護するケース１９と、情報を出力するディスプレイと、ディスプレイ上に設置された検出領域２からの入力を受け付け物体の接近や位置を特定する本発明の近接検出装置と、近接検出装置からの入力と、ディスプレイへの出力を制御するＣＰＵと、により成り立つ。また、図７（ａ）、図７（ｂ）や図７（ｄ）に示されるようにキーボード１８が情報機器に備え付けられていても良い。
【符号の説明】
【０１２７】
１  支持手段
２  検出領域
３  送信電極
４  受信電極
５  マルチライン駆動手段
６  電流測定手段
７  線形演算手段
８  近接演算手段
９ａ  制御手段
９ｂ  制御手段
１０ａ  演算手段
１０ｂ  演算手段
１１  矩形波発生手段
１２  送信電圧行列参照手段
１３  選択手段
１４  遅延時間調整手段
１５  記憶手段
１６  インバータ
１７  相関演算手段
１８  キーボード
１９  ケース
２０  駆動測定工程
２１  電流測定工程
２２  線形演算工程
２３  近接演算工程
２４  マルチライン波形発生工程
２５  遅延時間調整工程
２６  マルチライン駆動工程
３０  演算工程
３５  線順次駆動手段
４０  タイミング信号発生手段
４１  インターバル発生手段
４２  パワーセーブモード切替手段
【図１】
2011047774.tif 000022
【図２】
2011047774.tif 000023
【図３】
2011047774.tif 000024
【図４】
2011047774.tif 000025
【図５】
2011047774.tif 000026
【図６】
2011047774.tif 000027
【図７】
2011047774.tif 000028
【図８】
2011047774.tif 000029